(57)【要約】【課題】  配線処理の作業性向上並びにコスト低減化及び信頼性の向上を図ることができる机における灯具等の配線構造を得る。【解決手段】  左右の支柱１１，１１及び該支柱の上部間に架設した横架ビーム１２からなる門型の枠体４を机上に設けてなる机における灯具等の配線構造であって、支柱１１の外向面に、少なくとも一本の上下に延びる配線用垂直溝３１を設けると共に、横架ビーム１２の前面又は前面及び後面に、少なくとも一本の左右に延びる配線用水平溝３２を設け、支柱１１の上部が横架ビーム１２の配線用水平溝端３２ａを塞がず、且つ、横架ビーム１２の端部が支柱１１の配線用垂直溝上端３１ａを塞がない相対位置関係として、配線用水平溝端３２ａと配線用垂直溝上端３１ａとの間に空間Ａを設けた状態で、左右の支柱１１，１１を横架ビーム１２の両端に固定した。【選択図】        図４
2006136542.tif 000002
【特許請求の範囲】
【請求項１】
左右の支柱及び該支柱の上部間に架設した横架ビームからなる門型の枠体を机上に設けてなる机における灯具等の配線構造であって、
前記支柱の外向面に、少なくとも一本の上下に延びる配線用垂直溝を設けると共に、前記横架ビームの前面又は前面及び後面に、少なくとも一本の左右に延びる配線用水平溝を設け、
前記左右の支柱の上部が前記横架ビームの配線用水平溝端を塞がず、且つ、前記横架ビームの端部が前記左右の支柱の配線用垂直溝上端を塞がない相対位置関係として、前記配線用水平溝端と前記配線用垂直溝上端との間に空間を設けた状態で、前記左右の支柱を前記横架ビームの両端に固定してなる、机における灯具等の配線構造。
【請求項２】
前記横架ビームの端面にねじ穴又は下穴を形成すると共に該端面に前記支柱を当接させ、該ねじ穴又は下穴を用いてボルト又はタッピングねじにより該支柱を該横架ビームに螺設してなる請求項１記載の机における灯具等の配線構造。
【請求項３】
前記配線用水平溝端と配線用垂直溝上端との間の空間を覆う、前記支柱の上部に着脱可能に取り付けられた支柱上カバーと、前記支柱の配線用垂直溝を覆う、前記支柱の外向面に着脱可能に取り付けられた支柱側面カバーとを備えてなる請求項１記載の机における灯具等の配線構造。
【請求項４】
机の天板の左右端縁に前記支柱の下部が係合する切欠きを形成し、該天板下面に前記支柱を載置固定する支柱ベースを固定すると共に、該支柱ベースの前記支柱の配線用垂直溝の下側に配線用切欠きを形成してなる請求項１記載の机における灯具等の配線構造。
【発明の詳細な説明】
【技術分野】
【０００１】
本発明は、机における灯具等の配線構造に関するものである。
【背景技術】
【０００２】
例えば図書館若しくはオフィス等における書籍若しくは書類等の閲覧、ビデオテープ若しくはデジタルビデオディスク等の視聴、又は、パーソナルコンピュータによる検索等の用途に用いられる従来の机の構成として、照明支持手段（灯具支持手段）を、天板の対向する側縁部からそれぞれ起立させた支柱と、この支柱の上端部間に架け渡した横架材とからなる門型のものとし、この横架材に灯具を保持させると共に、該支柱を、内向面にパネル支持溝を有する角パイプ状の支柱本体と、該支柱本体の外向面に着脱可能に取り付けられたチャネル状の配線用カバーと、該支柱本体の上端に取り付けられた上カバーとにより構成し、該配線用カバーと該支柱本体の外板とに囲ませて上下に延びる配線空間を形成してなるもの（特許文献１参照。）等がある。
【特許文献１】特許第３５０６０６０号公報（図１−６）
【発明の開示】
【発明が解決しようとする課題】
【０００３】
特許文献１の机における灯具の配線構造は、前記灯具から出た配線コードを、前記支柱の内向面に当接した前記横架材の端面から該支柱本体の外板の上端部に設けた配線窓を通過させて前記配線空間に落とし込み、該支柱の下端から取り出す構造であるため、該配線処理の作業性が悪いという問題点がある。
【０００４】
また、前記門型の灯具支持手段は、前記横架材の角パイプ状の芯材の端部に前記支柱本体の上端に内方に延びるように溶接したアームを嵌め込み、該アーム上のナットに横架材の下側からボルトを螺合して該横架材と該支柱とを締着すると共に、前記配線用カバーもボルトにより該支柱本体に締着しているため、該灯具支持手段自体の部品点数の増加並びに加工及び組立作業時間の増加等により、コスト低減化及び信頼性の向上を図ることができないという問題点もある。
【０００５】
本発明は、前記のような課題を解決するためになされたものであり、配線処理の作業性を向上することができると共に、簡素な構成によりコスト低減化及び信頼性の向上を図ることができる机における灯具等の配線構造を得ることを目的とする。
【課題を解決するための手段】
【０００６】
本発明に係る机における灯具等の配線構造は、左右の支柱及び該支柱の上部間に架設した横架ビームからなる門型の枠体を机上に設けてなる机における灯具等の配線構造であって、前記支柱の外向面に、少なくとも一本の上下に延びる配線用垂直溝を設けると共に、前記横架ビームの前面又は前面及び後面に、少なくとも一本の左右に延びる配線用水平溝を設け、前記左右の支柱の上部が前記横架ビームの配線用水平溝端を塞がず、且つ、前記横架ビームの端部が前記左右の支柱の配線用垂直溝上端を塞がない相対位置関係として、前記配線用水平溝端と前記配線用垂直溝上端との間に空間を設けた状態で、前記左右の支柱を前記横架ビームの両端に固定してなるものである。
【０００７】
ここで、前記横架ビームの端面にねじ穴又は下穴を形成すると共に該端面に前記支柱を当接させ、該ねじ穴又は下穴を用いてボルト又はタッピングねじにより該支柱を該横架ビームに螺設してなると好ましい。
【０００８】
また、前記配線用水平溝端と配線用垂直溝上端との間の空間を覆う、前記支柱の上部に着脱可能に取り付けられた支柱上カバーと、前記支柱の配線用垂直溝を覆う、前記支柱の外向面に着脱可能に取り付けられた支柱側面カバーとを備えてなると好ましい。
【０００９】
さらに、机の天板の左右端縁に前記支柱の下部が係合する切欠きを形成し、該天板下面に前記支柱を載置固定する支柱ベースを固定すると共に、該支柱ベースの前記支柱の配線用垂直溝の下側に配線用切欠きを形成してなると好ましい。
【発明の効果】
【００１０】
本発明に係る机における灯具等の配線構造によれば、左右の支柱及び該支柱の上部間に架設した横架ビームからなる門型の枠体を机上に設けてなる机における灯具等の配線構造であって、前記支柱の外向面に、少なくとも一本の上下に延びる配線用垂直溝を設けると共に、前記横架ビームの前面又は前面及び後面に、少なくとも一本の左右に延びる配線用水平溝を設け、前記左右の支柱の上部が前記横架ビームの配線用水平溝端を塞がず、且つ、前記横架ビームの端部が前記左右の支柱の配線用垂直溝上端を塞がない相対位置関係として、前記配線用水平溝端と前記配線用垂直溝上端との間に空間を設けた状態で、前記左右の支柱を前記横架ビームの両端に固定してなるので、前記横架ビームにより支持される灯具等から出た配線コードを、前記横架ビームの配線用水平溝から前記支柱の配線用垂直溝へ渡して非常に容易に配線処理を行うことができる。また、非常に簡素な構成であるため、前記門型の枠体の部品点数の削減及び組立作業性の向上等により、コスト低減化及び信頼性の向上を図ることができる。
【００１１】
また、前記横架ビームの端面にねじ穴又は下穴を形成すると共に該端面に前記支柱を当接させ、該ねじ穴又は下穴を用いてボルト又はタッピングねじにより該支柱を該横架ビームに螺設してなると、前記門型の枠体の組立作業性をさらに向上することができる。
【００１２】
さらに、前記配線用水平溝端と配線用垂直溝上端との間の空間を覆う、前記支柱の上部に着脱可能に取り付けられた支柱上カバーと、前記支柱の配線用垂直溝を覆う、前記支柱の外向面に着脱可能に取り付けられた支柱側面カバーとを備えてなると、配線コードを隠して外観をすっきりとした印象のものとすることができる。また、当該カバーを取り外せば配線コードを前記配線用垂直溝及び配線用水平溝から容易に取り外すことができるため、灯具等の交換・追加時等の作業性が悪化することはない。
【００１３】
さらにまた、机の天板の左右端縁に前記支柱の下部が係合する切欠きを形成し、該天板下面に前記支柱を載置固定する支柱ベースを固定すると共に、該支柱ベースの前記支柱の配線用垂直溝の下側に配線用切欠きを形成してなると、さらに容易に配線処理を行うことができる。
【発明を実施するための最良の形態】
【００１４】
次に、本発明の実施の形態を添付図面に基づき詳細に説明するが、本発明は、添付図面に示された形態に限定されず特許請求の範囲に記載の要件を満たす実施形態の全てを含むものである。
【００１５】
実施の形態１．
図１〜図８は、本発明の実施の形態１に係る机における灯具等の配線構造を示す説明図であり、図１は本発明の配線構造を適用した机を示す上方から見た斜視図、同じく図２（ａ）は平面図、図２（ｂ）は側面図、図３は要部分解斜視図、図４は横架ビームから支柱への配線構造を示す斜視図、図５は灯具の横架ビームへの取付構造を示す縦断側面図、図６は支柱上カバーの支柱への取付構造を示す分解斜視図、図７は支柱等の机の天板への取付構造を示す分解斜視図、図８は中間用サイドパネルの上縁後部の取付構造を示す分解斜視図である。なお、以下において、椅子に座って机に向かった状態で、手前側を前、その反対側を後、左側を左、右側を右とする。
【００１６】
図において、例えば図書館等における閲覧用として用いられる机１は、支脚３により支持された天板２、天板２上に、前後方向の中間に設けられた門型の枠体４、門型の枠体４により支持されたフロントパネル７，７、左右方向にスペースを仕切るエンド用サイドパネル８，８及び中間用サイドパネル９、門型の枠体４により支持される灯具１０等により構成される。このように、実施の形態１では、一枚の天板２の前後を使用する対面型の机１を示しており、図１にはエンド用サイドパネル８，８及び中間用サイドパネル９を門型の枠体４の片側のみに設けているが、これらのサイドパネルを図２に示すように門型の枠体４の両側に設けてもよい。なお、図１における天板２は一枚物であるが、二枚の天板を突き合わせて配置して、該天板の後縁部に門型の枠体４を設けてもよい。
【００１７】
支脚３は脚柱５・・・と連結ビーム６・・・を組み合わせて構成され、門型の枠体４は天板２の左右側端縁から起立する左右の支柱１１，１１及び該支柱１１，１１の上部間に架設した横架ビーム１２並びに支柱上カバー１３，１３及び支柱側面カバー１４，１４等により構成される。また、図３〜図５に示すように、灯具１０は、横架ビーム１２の水平溝３２，３３に灯具取付金具２５の鉤状係合部２５ａ及び２５ｂを係合させることにより横架ビーム１２に容易に取り付けることができる。後述するように横架ビーム１２の上側の水平溝３２は配線に用いられるが、灯具１０又は例えば各種トレー、棚、電話受台、モニターアーム、ブックエンド等のオプションパーツ等の支持にも利用することができる。
【００１８】
支柱１１の外向面には上下に延びる配線用垂直溝３１が形成されており、該配線用垂直溝３１側からボルト３７・・・により支柱１１が横架ビーム１２と固定される。すなわち、横架ビーム１２の端面にはねじ穴３５・・・が形成されているため、支柱１１の通し穴３６・・・からボルト３７・・・をねじ穴３５・・・に螺合させることにより、支柱１１と横架ビーム１２との固定を容易に行うことができる。
【００１９】
なお、支柱１１の中空部には補強板１５が挿入され、該補強板１５のねじ穴３９に支柱１１の通し穴４０からボルト４１を螺合させて、補強板１５が支柱１１の上部に固定されているため、支柱１１の上部の剛性及び強度が高められている。したがって、支柱１１と横架ビーム１２との連結がより強固となっている。なお、前記ボルト３７・・・は補強板１５の通し穴３８・・・を通って横架ビーム１２のねじ穴３５・・・に螺合される。ここで、横架ビーム１２の端面のねじ穴３５・・・に代えて下穴を形成しておき、タッピングねじを用いて支柱１１を横架ビーム１２に螺設してもよい。
【００２０】
図３〜図５に示すように、左右の支柱１１，１１と横架ビーム１２とを固定する相対位置関係は、支柱１１の上部が横架ビーム１２の配線用水平溝端３２ａを塞がず、且つ、横架ビーム１２の端部が支柱１１の配線用垂直溝上端３１ａを塞がない関係とされ、配線用水平溝端３２ａと配線用垂直溝上端３１ａとの間には空間Ａが設けられている。そして、この相対位置関係を保った状態で左右の支柱１１，１１と横架ビーム１２とが前記固定方法により固定される。したがって、灯具１０の配線コード２６は、横架ビーム１２の上側の水平溝（配線用水平溝）３２内から配線用水平溝端３２ａ、支柱１１の配線用垂直溝上端３１ａから配線用垂直溝３１内へと容易に引き回され、非常に容易に配線処理を行うことができる。
【００２１】
図４のように横架ビーム１２側から支柱１１側に渡された配線コード２６は、図１、図３及び図６に示すように、前記空間Ａを覆う樹脂製の支柱上カバー１３により隠され保護されると共に外観がすっきりとした印象となる。なお、支柱上カバー１３の横架ビーム１２側の面及び下面は、配線コードと干渉しないように開口している。そして、支柱上カバー１３の爪１３ａは横架ビーム１２の中空部３４上部に係止され、支柱上カバー１３のリブ１３ｂは支柱１１の係合溝４３，４４に係合する。例えば、支柱上カバー１３の前後方向リブ４２，４２は支柱１１の係合溝４４に係合する。このように、支柱上カバー１３は、ボルト等を用いずに、支柱１１の上部において着脱が容易に構成される。
【００２２】
また、支柱１１の配線用垂直溝３１は、図１及び図３に示すように樹脂製の支柱側面カバー１４により覆われるため、配線用垂直溝３１内の配線コード２６は支柱側面カバー１４により隠され保護されると共に外観がすっきりとした印象となる。支柱側面カバー１４の前後端には係合片１４ａ，１４ａが設けられており、該係合片１４ａ，１４ａを支柱１１の支柱側面カバー係合溝４５，４５に係合させることにより、支柱側面カバー１４は、ボルト等を用いずに、支柱１１の外向側面において着脱が容易に構成される。
【００２３】
以上のような着脱が容易は支柱上カバー１３，１３及び支柱側面カバー１４，１４を用いれば、当該カバーを取り外せば配線コード２６を配線用垂直溝３１及び配線用水平溝３２から容易に取り外すことができるため、灯具１０等の交換・追加時等の作業性が悪化することはない。
【００２４】
次に支柱１１等の天板２への取付構造について説明する。図７において、天板２の左右端縁の中間部分には切欠き２７，２７及びねじ穴２８・・・が形成されており、該切欠き２７の下面に支柱ベース５１を当接させた状態で、ボルト５２・・・を通し穴５１ａ・・・からねじ穴２８・・・に螺合することにより、支柱ベース５２が天板２に固定される。該支柱ベース５１上に支柱１１を載置すると共に、支柱１１の下部側面を天板２の切欠き２７に樹脂キャップ３０を介して又は直接当接させ係合させた状態で、ボルト５３・・・を通し穴５１ｂ・・・から支柱１１の下端面に形成した図示しないねじ穴に螺合することにより、支柱１１は天板２と容易かつ強固に連結固定される。そして、支柱ベース５１には、支柱１１の配線用垂直溝３１の下側に配線用切欠き５１ｃが形成されているため、支柱１１の配線用垂直溝３１から配線用切欠き５１ｃへ配線コード２６を沿わせて非常に容易に配線処理を行うことができる。なお、支柱１１，１１は、天板２に固定せずに、支脚３に固定する構成としてもよい。支柱１１を天板２に固定する構成を採用した場合には、種々の支脚の形状及び配置を選択することができる。例えば、パネル脚、ロ字脚、パイプの４本脚等を選択することもできるし、これらの支脚を左右の支柱１１，１１の下側から天板２の間口方向の内側にずらして取り付けて使用することもできる。
【００２５】
また、天板２の下面には、配線の収納及びコンセントの配設等に利用される配線ダクト４６が、配線ダクト固定金具４７を天板２下面に形成されたねじ穴４８・・・にボルト４９・・・を螺合することにより固定されている。したがって、前記支柱ベース５１の配線用切欠き５１ｃから下方へ引き出された配線コード２６は、該配線ダクト４６上を通され、適宜位置に配設されたコンセントに接続される。
【００２６】
また、図３及び図７に示すように、横架ビーム１２の下面にはフロントパネル取付横パッキン係合溝２２が形成されており、支柱１１の内向面にはフロントパネル取付縦パッキン係合溝２３が形成されている。したがって、該フロントパネル取付横パッキン係合溝２２にフロントパネル取付横パッキン１６を係合させ、該フロントパネル取付縦パッキン係合溝２３にフロントパネル取付縦パッキン１７を係合させた状態で、該パッキンを介してフロントパネル７を容易かつ確実に支持することができる。すなわち、フロントパネル７の下縁はフロントパネル横レール１８により支持され、フロントパネル７上縁及び左縁又は右縁は門型の枠体４により支持される。
【００２７】
さらに、図１及び図７に示すように、エンド用サイドパネル８は、支柱１１のエンド用サイドパネル係合溝２４及びエンド用サイドパネル横レール１９により後縁及び下縁が支持される。中間用サイドパネル９は、フロントパネル７，７間に配設された中間用サイドパネル縦レール２１及び中間用サイドパネル横レール２０により後縁及び下縁が支持される。なお、中間用サイドパネル縦レール２１に、フロントパネル７，７を連結する機能を持たせることもできる。また、エンド用サイドパネル横レール１９の前端には端キャップ１９ａが装着され、中間用サイドパネル横レール２０の前端にも同様の端キャップが装着される。
【００２８】
図８に示すように、中間用サイドパネル９の上縁後部は、中間用サイドパネル取付金具５４により支持される。すなわち、横架ビーム１２下面に形成した位置決め穴６０に、中間用サイドパネル取付金具５４の上面に螺合する係合凸部５４ａを係合させた状態で、中間用サイドパネル取付金具５４の左右のねじ穴５４ｂ，５４ｂに螺合する止めネジ５５，５５により中間用サイドパネル９の上縁後部が左右方向から挟持される。また、エンド用サイドパネル横レール１９，１９は、該横レール下面の１箇所に形成した図示しないねじ穴に、天板２に形成した通し穴２９を通してボルト５９を天板２の下側から螺合することにより天板２に固定される。同様に、中間用サイドパネル横レール２０は、該横レール下面の２箇所に形成したねじ穴に、天板２に形成した２箇所の通し穴を通して天板２の下側から２本のボルトを螺合することにより天板２に固定される。
【００２９】
以上のように、非常に簡素な構成からなる机における灯具等の配線構造により、非常に容易に配線処理を行うことができると共に、門型の枠体４等の部品点数の削減及び組立作業性の向上等により、コスト低減化及び信頼性の向上を図ることができる。さらに、門型の枠体４の横架ビーム１２の水平溝３２，３３を利用したオプションパーツの取付け、門型の枠体４によるフロントパネル７，７及びサイドパネル８，９の支持等により、机１の機能性を高めることができる。
【００３０】
実施の形態２．
図９及び図１０は、本発明の実施の形態１に係る机における灯具等の配線構造を示す説明図であり、図９は本発明の配線構造を適用した机を示す上方から見た斜視図、図１０は支柱等の机の天板への取付構造を示す分解斜視図である。実施の形態２は、実施の形態１のような対面型の机１とは異なり、一枚の天板６２の前側のみを使用端とする片面型の机６１を示している。なお、図９及び図１０において、実施の形態１の図１及び図７と同一符号は同一又は相当部分を示している。
【００３１】
図において、机６１は、支脚３により支持された天板６２、該天板６２の後端縁の上側に主要部が設けられた門型の枠体４、門型の枠体４により支持されたフロントパネル７，７、左右方向にスペースを仕切るエンド用サイドパネル８，８及び中間用サイドパネル９、門型の枠体４により支持される灯具１０等により構成される。
【００３２】
図１０において、天板６２の後端縁の左右には切欠き６４，６４及びねじ穴６７・・・が形成されており、該切欠き６４の下面に支柱ベース６３を当接させた状態で、ボルト６８・・・を通し穴６３ａ・・・からねじ穴６７・・・に螺合することにより、支柱ベース６３が天板６２に固定される。該支柱ベース６３上に支柱１１を載置すると共に、支柱１１の下部側面を天板６２の切欠き６４に樹脂キャップ７０を介して又は直接当接させ係合させた状態で、ボルト６９・・・を通し穴６３ｂ・・・から支柱１１の下端面に形成した図示しないねじ穴に螺合することにより、支柱１１は天板６２と容易かつ強固に連結固定される。そして、支柱ベース６３には、支柱１１の配線用垂直溝３１の下側に配線用切欠き６３ｃが形成されているため、支柱１１の配線用垂直溝３１から配線用切欠き６３ｃへ配線コード２６を沿わせて非常に容易に配線処理を行うことができる。
【００３３】
また、天板６２の下面には、配線の収納及びコンセントの配設等に利用される配線ダクト６５が、配線ダクト固定金具６６を支脚３，３の連結ビーム５０に取り付けることにより該連結ビームに固定されている。したがって、前記支柱ベース６３の配線用切欠き６３ｃから下方へ引き出された配線コード２６は、該配線ダクト６５上を通され、適宜位置に配設されたコンセントに接続される。
【００３４】
以上のような実施の形態２の構成においても、実施の形態１と同様に、配線処理の容易化、並びに、簡素な構成による部品点数の削減及び組立作業性の向上等によるコスト低減化及び信頼性の向上等の作用効果を奏するものである。
【００３５】
実施の形態３．
図１１は、本発明の実施の形態３に係る配線構造を適用した机を示す説明図であり、図１１（ａ）は平面図、図１１（ｂ）は正面図であり、実施の形態２の図９及び図１０と同一符号は同一又は相当部分を示している。実施の形態３は、実施の形態２のような片面型の机において、天板６２の左右方向の幅を小さくした天板７２を用いて中間用サイドパネル９等を無くした個人用の机７１を示している。したがって、門型の枠体４を構成する横架ビーム１２も実施の形態２より短いものとなるが、同様の機能を有するものである。
【００３６】
以上のような実施の形態３の構成においても、実施の形態１及び２と同様に、配線処理の容易化、並びに、簡素な構成による部品点数の削減及び組立作業性の向上等によるコスト低減化及び信頼性の向上等の作用効果を奏するものである。
【００３７】
なお、本明細書における「机」には、いわゆるテーブルの概念も含むものである。
【図面の簡単な説明】
【００３８】
【図１】本発明の実施の形態１に係る配線構造を適用した机を示す上方から見た斜視図である。
【図２】同じく（ａ）は平面図、（ｂ）は側面図である。
【図３】要部分解斜視図である。
【図４】横架ビームから支柱への配線構造を示す斜視図である。
【図５】灯具の横架ビームへの取付構造を示す縦断側面図である。
【図６】支柱上カバーの支柱への取付構造を示す分解斜視図である。
【図７】支柱等の机の天板への取付構造を示す分解斜視図である。
【図８】中間用サイドパネルの上縁後部の取付構造を示す分解斜視図である。
【図９】本発明の実施の形態２に係る配線構造を適用した机を示す上方から見た斜視図である。
【図１０】支柱等の机の天板への取付構造を示す分解斜視図である。
【図１１】本発明の実施の形態３に係る配線構造を適用した机を示す説明図であり、（ａ）は平面図、（ｂ）は正面図である。
【符号の説明】
【００３９】
１，６１，７１  机
２，６２，７２  天板
３  支脚
４  門型の枠体
１０  灯具
１１  支柱
１２  横架ビーム
１３  支柱上カバー
１３ａ  爪
１３ｂ  リブ
１４  支柱側面カバー
１４ａ  係合片
２５  灯具取付金具
２５ａ，２５ｂ  鉤状係合部
２６  配線コード
２７  切欠き
２８  ねじ穴
３０  樹脂キャップ
３１  配線用垂直溝
３１ａ  配線用垂直溝上端
３２  配線用水平溝
３２ａ  配線用水平溝端
３３  水平溝
３４  中空部
３５  ねじ穴
３６  通し穴
３７  ボルト
４２  前後方向リブ
４３，４４  支柱上カバー係合溝
４５  支柱側面カバー係合溝
４６  配線ダクト
５１  支柱ベース
５１ａ，５１ｂ  通し穴
５１ｃ  配線用切欠き
５２，５３  ボルト
６３  支柱ベース
６３ａ，６３ｂ  通し穴
６３ｃ  配線用切欠き
６４  切欠き
６５  配線ダクト
６７  ねじ穴
６８，６９  ボルト
７０  樹脂キャップ
Ａ  配線用水平溝端と配線用垂直溝上端との間の空間
【図１】
2006136542.tif 000003
【図２】
2006136542.tif 000004
【図３】
2006136542.tif 000005
【図４】
2006136542.tif 000006
【図５】
2006136542.tif 000007
【図６】
2006136542.tif 000008
【図７】
2006136542.tif 000009
【図８】
2006136542.tif 000010
【図９】
2006136542.tif 000011
【図１０】
2006136542.tif 000012
【図１１】
2006136542.tif 000013